(57)【要約】      （修正有）【課題】堤防の天端被覆コンクリート下面にかかる揚圧力により圧縮された空気の除去性能を備えると共に、確実かつ簡便に蓋体の開閉作業を行うことができる空洞量点検孔の蓋体構造を提供する。【解決手段】筒体２は、通常は筒体の上端開口を密閉する蓋体３を備え、蓋体は、筒体内部に突設されたロックピン４と、蓋体に形成された屈曲溝５と噛合して係止される。蓋体の筒部３ｄに筒体及び蓋体内部に貯留する圧縮空気の排出口６を複数個所設ける。屈曲溝５は、蓋体に対して縦向きに形成されるロックピン導入溝条とこれと平行に形成されたロックピン係止溝条と、双方を連通する傾斜溝条とから形成された略Ｎ字状とする。【選択図】図１
0003226685.tif 000002
【実用新案登録請求の範囲】
【請求項１】
堤防の天端被覆コンクリート内に設置される筒体と、通常は当該筒体の上端開口を密閉する蓋体とを備え、前記蓋体が、筒体内部に突設されたロックピンと、前記蓋体に形成された屈曲溝と噛合して係止されていることを特徴とする空洞量点検孔の蓋体構造。
【請求項２】
屈曲溝が筒体に対して縦向きに形成されるロックピン導入溝条とこれと平行に形成されたロックピン係止溝条と、双方を連通する傾斜溝条とから形成された略Ｎ字状とされていることを特徴とする請求項１記載の空洞量点検孔の蓋体構造。
【請求項３】
蓋体に、水位の上昇によって堤体が受ける揚圧力により筒体内部に生じる圧縮空気の排出口が設けられていることを特徴とする請求項１又は請求項３記載の空洞量点検孔の蓋体構造。
【請求項４】
ロックピン係止溝には、筒体内部に生じる圧縮空気によって蓋体が前記ロックピンに係止されたまま浮上可能な遊嵌間隙が設けられていることを特徴とする請求項２又は請求項３記載の空洞量点検孔の蓋体構造。
【考案の詳細な説明】
【技術分野】
【０００１】  本考案は、土木分野における海岸・河川（河口区域）に設けられている天端被覆コンクリート下面に発生する変状を早期発見し、グラウト材などの固化材を充填して空洞部分を補強し、さらに、水位の上昇に伴い堤防基部に作用する揚圧力によって圧縮された空気を天端被覆コンクリート上面に放散させることで、堤防崩壊の要因となる弱点を未然に解消し、堤防の安定性を補完することができる空洞量点検孔の構造、とくにその蓋体構造に関するものである。
【背景技術】
【０００２】  堤防の内部は盛土で築造される事例が多い、堤防崩壊の要因として水が堤体内土層に浸透し、越水、裏法面の浸食の発生、法尻部から漏水することなどが挙げられる。これらの崩壊要因から堤防を保守するために、堤防表面にコンクリートを直接打設するかまたはコンクリート二次製品で被覆して堤防天端コンクリートが設けられているが、この堤防天端コンクリート下面の堤体土層の変状、例えば、コンクリート下面土層の沈下、それに伴う空洞現象などの調査を定期的に行い、変状が確認された場合は直ちに補修を行う必要がある。【０００３】  近年、豪雨等により河川や海岸の堤防が決壊するという大災害が多数報告されており、その都度、復旧工事や局部改修に多大な費用を要している。現在、これらの変状を簡易な目視検査、打音検査、レーダー探査による詳細な検査が頻繁に行われている。【０００４】  例えば、地盤の沈下量を測定するために、地盤を掘削した孔内に有底筒状の伸縮自在な計測管を挿入し、計測管内に地上から吊り下ろす沈下計ゾンデにより沈下素子の位置を検出し、その深さを測定テープで測定する地盤沈下量測定装置（特許文献１参照。）。構造物の外側付近に立杭を掘削し、この中に金属管を挿入して構造物底版下まで推進到達させ、この金属管内に超小型カメラを挿入しその映像をモニターで目視して地盤沈下・空洞化量の有無を判別する調査方法（特許文献２参照。）。軟弱地盤の沈下にしたがって適宜屈曲する可撓性を備えた非磁性体からなる長尺部材を挿入し、この長尺部材に通電することにより励起する電気マーカーを所定の間隔で配置し、長尺部材に近接して非磁性体よりなる測定管を平行に挿入し、この測定管内に磁気検知器を吊り下げ、磁気マーカーの磁界を測定して地盤沈下量を測定する方法（特許文献３参照。）。【０００５】  特許文献４にはアスファルト道路等の舗装道路下の空洞や堰堤下等の空洞の広がりを三次元的に確認できるように、測距センサーを有する測定ゾンデを空洞内に挿入し、東西南北方向夫々について空洞内を上下方向について測距し、上下方向の測距点と測距データより空洞内の広がりを三次元的に確認する方法が開示されている。【０００６】  また、特許文献５には下方に伸長し上方に収縮する縦パイプと、この縦パイプの下端に下向きに設置されたカメラと、前記縦パイプの下端側に起伏可能に取り付けられた伸縮自在な横杆と、この横杆の先端に装着された非接触距離測定器とを有した地下空洞調査装置を地下空洞に貫通する複数個の調査孔に順次挿入した後、横杆を倒して非接触距離測定器により全周を、横杆を段階的に仲長させる度に実行して、収集された各所の断面形状のデータに基づき地下空洞の形状を画像データ化することで、平面的な画像では分からない空洞内の凹凸を正確に把握し得る地下空洞調査装置が提案されている。【０００７】  一方、特許文献６には、水域埋立において、原地盤及び埋立材の透水性が低い場合であっても、原地盤の上面に配置された間隙水圧計の測定値に基づき原地盤の正確な沈下量を測定できるようにされた地盤沈下量測定方法が提案されている。その方法は、内部に間隙水圧計と砂又は砕石であるフィルタ材を収容した土嚢を原地盤上に配置する。水面に浮ぶブイの内部に処理装置を収容して、この処理装置を通信ケーブルで土嚢内部の間隙水圧計に接続し、間隙水圧計が測定した水圧の測定結果を処理装置に送信し、さらに処理装置はこの測定結果を無線通信により外部装置へ送信し、外部装置は測定結果に基づいて原地盤の沈下量を算出するものである。
【先行技術文献】
【特許文献】
【０００８】
【特許文献１】特公昭６２−５４９２４号公報
【特許文献２】特許第３８２０６５２号公報
【特許文献３】特公平３−２６７２９号公報
【特許文献４】特開平６−１４７８８０号公報
【特許文献５】特開２０１５−５２５０８号公報
【特許文献６】特許第６４７２９２７号公報
【特許文献７】特許第６０２９０１５号公報
【考案の概要】
【考案が解決しようとする課題】
【０００９】  上述したように、堤防天端被覆コンクリートの点検に際しては、目視で把握できる変状確認には限界があるため、空胴監視孔による点検、地中レーダー探査、ボーリング、打音検査等を行なっているが、そのためには、新たに空洞監視孔を設ける必要もあった。しかしながら、この方法は、準備・実施期間・費用等が嵩み、また、結果が集約されるまでに相当の時間を要しているのが実情である。【００１０】  すなわち、堤防の変状が確認された場合、調査計測結果の集約及び分析作業に多大な労力を費やし、グラウト材などの固化材を注入する際には、天端コンクリートの削孔を要するばかりでなく、補強にもまた時間を要するという課題がある。さらには、堤防は水位の上昇に伴い堤防基盤面に揚圧力が発生し、曳いては堤防崩壊に繋がるおそれがあり、上記従来技術はこれを解消するものとはなっていない。【００１１】  そこで、本考案者らは先に特許文献７をもって、上記課題を解決する方法を提案している。特許文献７に開示した発明は、堤体の天端被覆コンクリート内に設置される筒体と、通常は、当該筒体の上端開口を密閉する蓋体と、その筒体内に堤体土の沈下に伴い沈下する沈下板と逆止弁とを備え、前記蓋体が、水位の上昇によって堤体が受ける揚圧力により、前記筒体内部に生じる圧縮空気により吹き飛ばされて離脱可能とされていることを特徴とする空洞量点検兼用圧力除去装置であり、概ね以下の優れた効果を奏する。
（１）海岸・河川堤防、又は傾斜堤の天端被覆コンクリートに本発明装置を取り付けて観察することにより、空洞化現象の早期発見、対策が可能になる。尚且つ、水位の上昇に伴い堤防基盤面に発生する揚圧力を放散することで、堤防本体の崩壊を未然に防ぐことができる。
（２）いつでも必要に応じて、堤防天端被覆コンクリート下面の沈下による空洞状況を容易に観測できる。
（３）定期観測はもとより、風水害、地震、津波、高潮等の発生時には、事態の終息後直ちに変状測定することができ、被災状況に応じた復旧を迅速且つ的確に行なうことができる。【００１２】  本考案は、その点検孔の蓋体構造に着目して改良を施したものであり、堤防の天端被覆コンクリート下面に溜まった揚圧力により圧縮された空気の除去性能を備えると共に、確実かつ簡便に蓋体の開閉作業を行うことができるばかりでなく、堤防の崩壊要因を解消する一助となり得る空洞量点検孔の蓋体構造を提供することを目的とする。
【課題を解決するための手段】
【００１３】  このため本考案の空洞量点検孔の蓋体構造は、堤防の天端被覆コンクリート内に設置される筒体と、通常は当該筒体の上端開口を密閉する蓋体とを備え、前記蓋体が、筒体内部に突設されたロックピンと、前記蓋体に形成された屈曲溝条と噛合して係止されていることを第１の特徴とする。また、屈曲溝が筒体に対して縦向きに形成されるロックピン導入溝条とこれと平行に形成されたロックピン係止溝条と、双方を連通する傾斜溝条とから形成された略Ｎ字状とされていることを第２の特徴とする。さらに、蓋体に、水位の上昇によって堤体が受ける揚圧力により筒体内部に生じる圧縮空気の排出口が設けられていることを第３の特徴とする。さらにまた、ロックピン係止溝条には、筒体内部に生じる圧縮空気によって蓋体が前記ロックピンに係止されたまま浮上可能な遊嵌間隙が設けられていることを第４の特徴とする。
【考案の効果】
【００１４】  本考案によれば、以下の優れた効果がある。
（１）堤防の天端被覆コンクリート下面の地盤沈下による点検孔堤防基盤面にかかる揚圧力の除去性能を備えると共に、確実かつ簡便に蓋体の開閉作業を行うことができる。
（２）いつでも必要に応じて、堤防天端被覆コンクリート下面の沈下による空洞状況を容易に観測できる。
（３）定期観測はもとより、風水害、地震、津波、高潮等の発生時には、事態の終息後直ちに変動測定することができ、被災状況に応じた復旧を迅速且つ的確に行なうことができる。
【図面の簡単な説明】
【００１５】
【図１】本考案に係る空洞量点検孔の蓋体構造を示す縦断面図である。
【図２】本考案に係る点検筒の縦断面図である。
【図３】本考案に係る蓋体を示す（ａ）は正面図、（ｂ）は平面図、（ｃ）は（ａ）のＡ−Ａ線断面図である。
【図４】本発明に係る空洞量点検孔の蓋体動作を示す（ａ）は点検時の着脱動作、（ｂ）は揚力除去動作、（ｃ）は通常時の縦断面図である。
【考案を実施するための形態】
【００１６】  以下、図面に基づいて本考案に係る空洞量点検孔の蓋体構造を、堤防に設置した実施形態を説明するが、便宜上、同様の構成要素には同一の参照符号を付して説明する。
空洞量点検装置は、常時においては、筒体２の装置上端部に蓋体３を取付けて、堤防管理車両・人の通行を円滑にし、空洞量点検及びグラウト充填注入時には蓋体３を取り外して作業をし、また、揚圧力発生時には堤体内部の空気圧力が上昇し、装置上端に取り付けた蓋体３を浮上させ、かつ蓋体３に設けられた排気口６が外気中に露出して内部圧力を放散するようにされている。
【実施例】
【００１７】  図１は、本考案に係る空洞量点検装置（以下、単に同装置という）を堤防に設置した状態を示す断面図で、堤防については、コンクリート１の下層は、堤体土上層に基礎砕石１ａが敷き均された構成とされている。この基礎砕石１ａ上に同装置の筒体２を載置し、筒体２の高さＬになるまでコンクリート１を打設して埋設される。尚、２ａは筒体２の外側リング、２ｂは蓋体３の天板３ａが載置される上部フランジで、２ｃは筒体２の下部フランジ、２ｄは筒体２がコンクリート１内での不測の回動を防止する回転防止杆である。【００１８】  図１乃至図３に示すように、筒体２は、通常は当該筒体２の上端開口を密閉する蓋体３を備え、蓋体３は、筒体２内部に突設されたロックピン４と、蓋体３の筒部に形成された屈曲溝５と噛合して係止されている。【００１９】  蓋体３の筒部３ｄに設けられた屈曲溝５は、筒体２に対して縦向きに形成されるロックピン導入溝条５ａと、これと平行に形成されたロックピン係止溝条５ｂと、双方を連通する傾斜溝条５ｃとからなる略Ｎ字状とされており、筒体２に蓋体３の筒部３ｄを装着する際には、先ず、ロックピン導入溝条５ａを鉛直方向に導入し、次いで、蓋体３を水平方向にわずかに持ち上げながら傾斜溝条５ｃに沿って回転移動させロックピン４に当接させる。こうして、蓋体３は筒体１の上部に嵌装される。尚、蓋体３の取り外しは上記嵌装手順と逆の動作を行い、フランジ３ａの縁部に設けられた凹所３ｃを手掛かりにして着脱器具（図示せず）を開閉用孔３ｂに着装して行えばよい。【００２０】  堤防内の水位の上昇等に伴って堤体内部に発生する揚圧力の影響を受けて圧縮された空気となり筒体２及び蓋体３内部に貯留する。このため、蓋体３の筒部３ｄには、この圧縮空気を徐々に抜気するための排出口６が複数個所設けられている。そして、ロックピン係止溝５ｂには、この貯留した空気に抵抗できなくなった時点で蓋体３がロックピン４に係止されたまま浮上可能な遊嵌間隙ｄの間で蓋体３を浮上させ、かつ蓋体３の筒部３ｄに設けられた排気口６が外気中に露出して内部圧力を放散するようにされている。その際、ロックピン４はロックピン係止溝条５ｂの下端に係止されたままなので、蓋体３が筒体２から不用意に飛び出すことはない。尚、筒体２及び蓋体３の主材料は、ステンレス、スチール、硬質塩化ビニール製でも可能、スチール材質は亜鉛メッキを施し、防錆効果を高めている。
【符号の説明】
【００２１】１    天端被覆コンクリート
１ａ  基礎砕石面
２    筒体
２ａ  外側リング
２ｂ  上部フランジ
２ｃ  下部フランジ
２ｄ  回転防止杆
３    蓋体
３ａ  蓋体天板
３ｂ  蓋体開閉用孔
３ｃ  取手用凹所
３ｄ  蓋体の筒部
４    ロックピン
５    屈曲溝条
５ａ  ロックピン導入溝条
５ｂ  ロックピン係止溝条
５ｃ  傾斜溝条（連通溝条）
６    空気抜き口
ｄ    遊嵌間隙
【図１】
0003226685.tif 000003
【図２】
0003226685.tif 000004
【図３】
0003226685.tif 000005
【図４】
0003226685.tif 000006
【手続補正書】
【提出日】令和2年3月9日(2020.3.9)
【手続補正１】
【補正対象書類名】実用新案登録請求の範囲
【補正対象項目名】請求項３
【補正方法】変更
【補正の内容】
【請求項３】
蓋体に、水位の上昇によって堤体が受ける揚圧力により筒体内部に生じる圧縮空気の排出口が設けられていることを特徴とする請求項１又は請求項２記載の空洞量点検孔の蓋体構造。